(57)【要約】      （修正有）【課題】使い勝手が良く、外観に優れたネイル保護部材を提供する。【解決手段】ネイル保護部材１は、各指を覆う手袋５と、手袋５に挿入される指の長爪を保護する保護部１２、及び保護部１２に一体形成されて、挿入される指の第一関節から先側を挟持する挟持部１４を備えた保護片とを有している。そして、この保護片は、手袋５の各指先側の内面に取着されていることを特徴とする。【選択図】図４
0003131817.tif 000002
【実用新案登録請求の範囲】
【請求項１】
少なくとも各指を覆う手袋と、
前記手袋に挿入される指の長爪を保護する保護部、及び保護部に一体形成されて、挿入される指の第一関節から先側を挟持する挟持部を備えた保護片と、
を有し、
前記保護片は、前記手袋の各指先側の内面に取着されていることを特徴とするネイル保護部材。
【請求項２】
前記保護片は、弾性変形可能であることを特徴とする請求項１に記載のネイル保護部材。
【考案の詳細な説明】
【技術分野】
【０００１】
本考案は、長い爪を保護するネイル保護用部材に関する。
【背景技術】
【０００２】
従来、おしゃれのために、爪を伸ばすことが行われている。また、長い爪は、様々な作業をする上では邪魔になることがあるため、最近では、プラスチックのような薄い素材で形成された付け爪を、自爪の表面に接着剤などによって取着することも行われている。
【０００３】
上記したような付け爪は、接着剤によって実際の爪の表面に固定されるものの、多少の力が作用してしまうと、剥がれてしまう可能性がある。例えば、パーティ等の席上において、化粧室で用を足すときなど、衣服を掴んだり、捲り上げるといった類の操作をすると、付け爪部分に衣服が接触してしまい、そのまま剥がれてしまう、といった不都合が生じる可能性がある。
【０００４】
そこで、例えば、特許文献１や特許文献２に開示されているように、そのような長い爪を保護する長爪用の保護部材（ネイル保護部材）が提案されている。
【特許文献１】特開２００１−７００３７号
【特許文献２】実用新案登録第３０７３１２８号
【考案の開示】
【考案が解決しようとする課題】
【０００５】
しかしながら、上記した文献に開示されているネイル保護部材は、いずれも各指の爪部分に差し込むことができる爪先挿入孔を具備したキャップ状の部材、或いは、指先部分に差込み装着される指サックとして構成されるため、各指夫々に対して装着操作が必要となり、使い勝手が悪いという問題がある。また、そのような指毎に装着されるネイル保護部材では、紛失等し易いと共に、見栄えも悪いという問題がある。
【０００６】
本考案は、上記した事情に基づいて成されたものであり、使い勝手が良く、外観に優れたネイル保護部材を提供することを目的とする。
【課題を解決するための手段】
【０００７】
上記した目的を達成するために、請求項１に係るネイル保護部材は、少なくとも各指を覆う手袋と、前記手袋に挿入される指の長爪を保護する保護部、及び保護部に一体形成されて、挿入される指の第一関節から先側を挟持する挟持部を備えた保護片と、を有し、前記保護片は、前記手袋の各指先側の内面に取着されていることを特徴とする。
【０００８】
上記したネイル保護部材は、長爪を有する使用者が手袋を手にはめることで、その指先側に取着された保護片の挟持部に指が入り込み、かつ、その状態で挟持部と一体形成された保護部によって長爪が保護されるようになる。
【０００９】
また、請求項２に係るネイル保護部材は、前記保護片は、弾性変形可能であることを特徴とする。
【００１０】
このような構成では、指を挿入した際に、その挿入動作、及び指の大きさに追随して、保護片が弾性変形できるため、フィット感及び使用感の向上が図れるようになる。
【考案の効果】
【００１１】
本考案によれば、使い勝手が良く、外観に優れたネイル保護部材が得られる。
【考案を実施するための最良の形態】
【００１２】
以下、本考案に係るネイル保護部材の一実施形態について説明する。  
図１は、本考案に係るネイル保護部材の全体構成を示す図、図２は、手袋の指先内部に取着される保護片の構成を示し、（ａ）は斜視図、（ｂ）は側面図、（ｃ）は裏面図、図３は、図２（ｂ）におけるＡ−Ａ線に沿った断面図、そして、図４は、使用状態を示す図である。
【００１３】
ネイル保護部材１は、少なくとも各指を覆う手袋５と、この手袋５の各指先に取着される保護片１０と、を備えている。
【００１４】
手袋５は、少なくとも各指部分を同時に覆うように構成されていれば良く、一般的に知られている各種の手袋を用いることが可能である。手袋の素材やデザインについては、特に限定されるものではなく、綿、レース、シルク等によって作成することが可能である。この場合、一般的な手袋では、付け爪を付けると使用することができなかったが、各指先に保護片１０が取着されることで、付け爪を付けたままでも、使用することが可能になる。このため、手袋５の外観デザインを向上することで、付け爪を付けたまま、ファッション用として、或いは、防寒用として用いることが可能になる。
【００１５】
前記保護片１０は、例えば、接着剤等を用いて手袋の指先に取着される。この場合、保護片を手袋の指先内面に取着する手段については、特定のものに限定されることはない。例えば、通常の接着剤、熱を加えることで固着する樹脂剤、縫着等によって取着される。
【００１６】
保護片１０は、図２に示すように、手袋に挿入される指の爪に接着した付け爪２０（実際の長い爪であっても良い）を保護する保護部１２と、保護部１２に一体形成されて、挿入される指の第一関節から先側を両サイドから挟持する挟持部１４とを備えており、保護部１２の表面側、及び挟持部１４の表面側が、手袋の指先の内面に取着される。なお、取着されるのは、保護部１２の表面側、及び挟持部１４の表面側のいずれか一方であっても良い。
【００１７】
前記保護部１２は、一般に用いられる付け爪の長さ５ｍｍ〜１５ｍｍに対応できるように、その長さは３０ｍｍ程度に設定されている。また、その内面１２ａは、付け爪２０の表面との間で隙間が形成されるように、図３に示すように、湾曲状に形成されている。すなわち、このような湾曲面を形成しておくことで、付け爪表面が直接接触するのを防止して、指の動きに多少の自由度を持たせると共に、付け爪を保護することが可能となる。
【００１８】
前記挟持部１４は、指を挿入した際に、挿入された指の第一関節から先側を挟持して位置決めする機能を備えており、これにより、保護部１２の位置が安定して、付け爪２０を確実に保護する。なお、挟持部１４は、保護片を安定化できる構成であれば良く、例えば、リング状に形成されていても良い。
【００１９】
上記した保護片１０は、薄いプラスチックのような弾性変形可能な材料で形成することが好ましい。このような材質で一体形成することで、指を挿入した際に挟持部１４が広がることができ、また、指を動かした際に、全体がその動きに追随して各部が弾性変形できるため、フィット感及び使用感の向上が図れるようになる。
【００２０】
なお、上記した保護片１０は、夫々の指の大きさに対応するように、大きさが異なるもの（例えば、大、中、小の３種類）を準備しておき、夫々の指の大きさに適したものを前記手袋５の各指先側の内面に取着することが好ましい。
【００２１】
以上のように構成されるネイル保護部材１によれば、単に、手袋のように手にはめるだけの動作で、各指の爪に接着した付け爪２０が効果的に保護でき、各種の作業（着替え作業や用を足す作業等）を、付け爪２０を剥がすことなく、容易に行うことができる。また、本考案のネイル保護部材は、各指に、個別に装着するものではないため、使い勝手が良く、また、手袋のデザインによって、外観を向上することが可能になるため、通常の手袋としての使用も可能となる。
【図面の簡単な説明】
【００２２】
【図１】本考案に係るネイル保護部材の全体構成を示す図。
【図２】手袋の指先内部に取着される保護部材の構成を示し、（ａ）は斜視図、（ｂ）は側面図、（ｃ）は裏面図。
【図３】図２（ｂ）におけるＡ−Ａ線に沿った断面図。
【図４】使用状態を示す図。
【符号の説明】
【００２３】
１  ネイル保護部材
５  手袋
１０  保護片
１２  保護部
１４  挟持部
【図１】
0003131817.tif 000003
【図２】
0003131817.tif 000004
【図３】
0003131817.tif 000005
【図４】
0003131817.tif 000006